Podtech/llm-jp-corpus-v4-ja_patent huggingface dataset:
(57)【要約】      （修正有）【課題】通常、ペット用のトイレは、床に置くタイプで高さがなく、処理をするたびに立ったりしゃがんだりしなければならない。老若男女、健常者か否かを問わずに排泄の処理が簡単で、トイレの置く場所が最小限にできるペット用トイレを提供する。【解決手段】トイレの本体１には上部トイレ入り口２１と上部トイレ２と下部トイレ入り口４１と下部トイレ４を設け、間には引出し３を設ける。引出し３には新旧の猫砂を入れておくことができる。また、高齢になった猫でも簡単にあがることができるように階段５を設ける。このことによって、立ったりしゃがんだりする動作が少なくなり飼い主にとって楽になる。そして、付帯するものを全て集約することで処理時間が短く簡単に出来る。【選択図】図１
2017176160.tif 000002
【特許請求の範囲】
【請求項１】
高さを設けたことを特徴としたペット用トイレ収納家具
【請求項２】
直接床に置くのではなく、高さがあることを特徴とする請求項１記載のペット用トイレ収納家具
【請求項３】
このトイレに必要な物が集約されている
【発明の詳細な説明】
【技術分野】
【０００１】  この発明は、ペット（主として猫）を飼育している飼い主の為のトイレ収納家具である。
【背景技術】
【０００２】  通常のトイレとは、床に直接置き排泄後の処理は飼い主がその都度立ったりしゃがんだりする物である。
【発明の概要】
【発明が解決しようとする課題】
【０００５】  しかしながら、以上の技術によれば、健常者や若者には苦も無く特に問題もなく排泄の処理は出来るが、足や腰が不自由な方やお年寄り、太っている方にとっては、とても困難なことだと思う。また、頭数が多いほどトイレの数と場所を多く必要となり、手狭となってしまう。
そこで、この発明は、老若男女、健常者か否かを問わずに排泄の処理が簡単に出来るトイレを提供すること、かつ、トイレを置く場所を最小限にすることを課題とする。
【課題を解決するための手段】
【０００６】  以上の課題を解決するために、
第一発明は、トイレを床にいくつも置くタイプではなく高さを設けたことを特徴とし、２台の市販のトイレをそのまま利用することが出来るトイレである。
第二発明は、トイレに付帯する全てのものを一括コンパクトにまとめられたトイレである。
【発明の効果】
【０００７】  第一発明、または第二発明によれば、トイレに高さを設けることにより、足腰に負担を掛けずに排泄物の処理をすることができ、一度に複数頭の排泄物の処理もできる。
【図面の簡単な説明】
【０００８】
【図１】本発明の斜視図である。
【図２】本発明の正面図である。
【図３】開帳斜視図である。
【図４】開帳正面図である。
【図５】引き出し時斜視図である。
【発明を実施するための形態】
【０００９】  この発明の実施形態を、図１に示す。
トイレ収納家具の本体は木材（メラミン加工）かつ汚れにくい素材であり、色は３色（赤・黒・白）展開である。
５の階段で、２に上がり、猫が用をたす物である。
本体１及び４は引き扉となっており、トイレの出し入れが楽である。
３は引き出しとなっており、新旧の猫砂の出し入れが容易である。
５は階段となっており、高齢になった猫でも簡単に上がることができ、扉を開けると開封前の猫砂をストックできる。
【００１０】「実施形態の効果」
この実施形態によれば、お洒落でとてもかわいい製品なので、リビング、その他の部屋にも置くことができ、若い方にも大変喜んでもらえる製品です。
また、部屋の中に幾つものトイレを置かずに複数頭のトイレ処理ができ、全てのもの（新旧の猫砂、ストックの猫砂）を一カ所の集約することにより整理整頓ができる。
したがってトイレの置き場所に制限がなく、家具感覚で配置することができる。
このトイレは猫を飼っている大勢の方に本当に喜んでいただき、欲しい製品となることを確信しています。
「他の実施形態」
図１の実施形態では、猫がトイレに上がるための階段を猫砂のストック入れとし、よりコンパクトにすることができるようにしてある。
また、上下にトイレを入れる所があるので、足や腰の不自由な方、お年寄り、太っている方、老若男女、健常者か否かを問わず全ての飼い主にとってとても楽にトイレの処理をすることができる。
【符号の説明】
【００１１】１．本体
２．上部トイレ入れ
３．使用前・使用済み猫砂入れ
４．下部トイレ入れ
５．階段及び開封前猫砂貯蔵庫
２１．上部トイレ入り口
２２．上部トイレ入れ扉
４１．下部トイレ入り口
４２．下部トイレ入れ扉
【図１】
2017176160.tif 000003
【図２】
2017176160.tif 000004
【図３】
2017176160.tif 000005
【図４】
2017176160.tif 000006
【図５】
2017176160.tif 000007
2017176160.tif 000008
【手続補正書】
【提出日】平成28年7月22日(2016.7.22)
【手続補正１】
【補正対象書類名】図面
【補正対象項目名】全図
【補正方法】変更
【補正の内容】
【図１】
2017176160.tif 000009
【図２】
2017176160.tif 000010
【図３】
2017176160.tif 000011
【図４】
2017176160.tif 000012
【図５】
2017176160.tif 000013
(57)【要約】      （修正有）【課題】インプラントに用いられる利便性の高い連結人工歯列を提供する。【解決手段】樹脂製の複数の人工歯１１が一体に連結されており、１つの面に咬合面１１ａが形成されるとともに、咬合面とは反対側の面には、人工歯根との連結部材が挿入されるべき穴が設けられている連結人工歯列１０である。ここで、「人工歯根との連結部材」は、人工歯根に連結されるアバットメント、シリンダー等を挙げることができる。連結人工歯列１０の穴は全ての人工歯１１に設けることができる。【選択図】図１
2017176486.tif 000002
【特許請求の範囲】
【請求項１】
樹脂製の複数の人工歯が一体に連結されており、１つの面に咬合面が形成されるとともに、前記咬合面とは反対側の面には、人工歯根との連結部材が挿入されるべき穴が設けられている、連結人工歯列。
【請求項２】
前記穴は全ての前記人工歯に設けられている請求項１に記載の連結人工歯列。
【請求項３】
前記人工歯がポリメタクリル酸メチル樹脂により形成されている請求項１又は２に記載の連結人工歯列。
【発明の詳細な説明】
【技術分野】
【０００１】
本発明は、インプラントに用いられる、複数の人工歯が連結されてなる連結人工歯列に関する。
【背景技術】
【０００２】
義歯を利用する人々にとって、義歯は体の一部として機能し、日常生活を送る上で欠かすことができないものである。また義歯等の上部構造体は毎日口腔内で機能していることから、その消耗も激しく、一定の期間でメンテナンスを行い、新しい上部構造体への取り換えが必要である。
【０００３】
特許文献１には、義歯やインプラントの暫間補綴物、最終補綴物の連結歯に関する発明が開示されている。これは、複数の人工歯が連結材料により繋ぎ合わされており、人工歯を義歯床に固定する際に複数の人工歯をまとめて排列することが可能とされている。
【先行技術文献】
【特許文献】
【０００４】
【特許文献１】特開平６−２６１９１７号公報
【発明の概要】
【発明が解決しようとする課題】
【０００５】
人工歯根（インプラント）を顎骨に埋設し、当該人工歯根のうち口腔内側に配置された端部に連結部材として機能するアバットメントを取り付け、ここに人工歯を取り付ける、いわゆるインプラント治療がある。このようなインプラント治療に用いる人工歯についてもより利便性の高いものが求められている。しかしながら、従来技術ではインプラントについてこのような検討がなされてこなかった。
【０００６】
そこで本発明は、上記問題点に鑑み、インプラントに用いられる利便性の高い連結人工歯列を提供することを課題とする。
【課題を解決するための手段】
【０００７】
以下、本発明について説明する。ここではわかりやすさのため括弧書きにて図面の参照符号を付すが、本発明はこれに限定されるものではない。
【０００８】
本発明の１つの態様は、樹脂製の複数の人工歯（１１）が一体に連結されており、１つの面に咬合面（１１ａ）が形成されるとともに、咬合面とは反対側の面には、人工歯根との連結部材が挿入されるべき穴（１２）が設けられている、連結人工歯列（１０）である。  ここで、「人工歯根との連結部材」は、人工歯根に連結されるアバットメント、シリンダー等を挙げることができる。
【０００９】
連結人工歯列（１０）の穴（１２）は全ての人工歯（１１）に設けることができる。
【００１０】
上記人工歯（１１）は樹脂材料であり、ポリメタクリル酸メチル樹脂により形成されていてもよい。
【発明の効果】
【００１１】
本発明によれば、インプラントに取り付ける人工歯を複数まとめて取り扱うことができ、利便性が高い。また、ＣＡＤ／ＣＡＭを使用して樹脂材料で加工するため、義歯やインプラント補綴物で症例を選ばずに使用することが可能である。
【図面の簡単な説明】
【００１２】
【図１】連結人工歯列１０の斜視図である。
【図２】連結人工歯列１０を咬合面１１ａ側から見た図である。
【図３】連結人工歯列１０を穴１２が設けられた側から見た図である。
【発明を実施するための形態】
【００１３】
以下本発明を図面に示す形態に基づき説明する。ただし本発明はこれら形態に限定されるものではない。
【００１４】
図１は、１つの形態にかかる連結人工歯列１０の斜視図、図２は連結人工歯列１０を咬合面側からみた平面図、図３は連結人工歯列１０を穴１２側から見た裏面図をそれぞれ示した。
【００１５】
図１〜図３よりわかるように、連結人工歯列１０は、複数の人工歯１１が連結して一体に形成されている。各人工歯１１は咬合面１１ａを有しており、天然歯の咬合面が模擬され、天然歯の咬合面と同様に機能するように凹凸を具備する。一方、咬合面１１ａとは反対側となる面には、人工歯根（インプラント）との連結部材であるアバットメント、シリンダーに連結する穴１２が設けられている。
【００１６】
穴１２は全ての人工歯１１に設けられていることが好ましい。これにより人工歯根が配置された位置に対して柔軟に対応することができる。ただし、これに限られることはなく、連結人工歯列１０が適切に口腔内に保持できる限りにおいて、少なくとも１つの人工歯１１に穴１２が設けられていればよい。従って、必要に応じて１又は複数の人工歯１１に穴１２が形成される。
【００１７】
ここで、連結人工歯列１０は人工歯１１からなり、歯肉を模した部位を有していない。従って、その作製も容易である。
【００１８】
このような連結人工歯列１０によれば、人工歯根に対してまとめて人工歯１１を取り付けることができるため利便性を高めることができる。
【００１９】
連結人工歯列１０を構成する樹脂材料としては、特に限定されることはないが、ポリメタクリル酸メチル樹脂（ＰＭＭＡ）等を挙げることができる。ＰＭＭＡを用いることにより口腔内での安定性を高めることができる。
【００２０】
連結人工歯列１０に含まれる人工歯１１の数は２つ以上であればよく、その数は限定されない。上記形態のように全歯を含むものであってもよいし、一部であってもよい。
【００２１】
このような連結人工歯列１０は、例えば次のように作製することができる。以下に連結人工歯列１０の作製方法の１つの例としてＣＡＤ／ＣＡＭを用いた例を説明する。
【００２２】
初めに、現状における患者の口腔内の形態を得るため、そのときに使用している義歯の咬合面形態を三次元計測機、又は口腔内計測器で計測し、ＣＡＤにデータとして形状を取り込む。
得られたデータからＣＡＤにて作図を行い、データが不足している部分をＣＡＤ上にて補って修整する。
このようにして得られた歯牙形状のデータをＣＡＭを用いて工作機械を制御し、板状のＰＭＭＡ等の材料から連結人工歯列１０を削り出す。
これにより連結人工歯列１０を作製することができる。
【００２３】
以上のような連結人工歯列１０は口腔内に装着されて義歯又はインプラントブリッジとして機能する。すなわち、口腔内の顎骨に埋設された人工歯根（インプラント）のうち口腔内側の端部に、アバットメントやシリンダーが取り付けられる。そして、このアバットメントやシリンダーを連結人工歯列１０の穴１２に挿入することにより、連結人工歯列１０が口腔内に固定される。
【符号の説明】
【００２４】
１０  連結人工歯列
１１  人工歯
１１ａ  咬合面
１２  穴
【図１】
2017176486.tif 000003
【図２】
2017176486.tif 000004
【図３】
2017176486.tif 000005
(57)【要約】【課題】    ストーマは肛門のように括約筋が無くおならを防ぎようが無く対人に支障を来すことや外出が少なくなる人も要るようです。なので、おならを軽減させる物を提供する。【解決手段】  ストーマに棒状のおなら軽減棒を入込みストーマ口を開けさせ、おなら軽減棒の中央からのフィルムで２ピースタイプのストーマ袋の接続リングに咬ませストーマ口から外れないようにして、おならのガスを抜けさせる様にしておならの音をださせないようにする事を特徴とする。      【選択図】  図１
2017000255.tif 000002
【特許請求の範囲】
【請求項１】
ストーマ（２）におなら軽減棒（１）を入れ込み、ストーマ口（３）を広げる。
【発明の詳細な説明】
【技術分野】
【０００１】
この発明は、ストーマのおならに関するものである
【背景技術】
【０００２】
従来、ストーマからのおならは防ぎ辛かった。
【先行技術文献】
【特許文献】
【０００３】
【特許文献１】なし
【発明の概要】
【発明が解決しようとする課題】
【０００４】
これは、次のような欠点があった。
従来、ストーマは肛門にある括約筋のような物は無く、おならは防ぎようが無かった。本発明は、以上のような欠点を無くすためになされたものである。
【課題を解決するための手段】
【０００５】
おなら軽減棒（１）をストーマに（２）に入り込み、ストーマ口（３）を広げおならを逃がし音が軽減させる。本発明は、以上の構成によりなるストーマから出るおならを軽減させる物である。
【発明の効果】
【０００６】
この様にストーマのおならはストーマ口が塞がる事によりガスが溜まり爆発音する。ストーマにおなら軽減棒を入り込めばストーマ口が広がればガスが溜まらなくなり、おならも軽減する。
【図面の簡単な説明】
【０００７】
【図１】本発明の使用正面図
【図２】本発明の全体図
【発明を実施するための形態】
【０００８】
以下、本発明を実施するための形態について説明する。
おなら軽減棒（１）ストーマ（２）に差し込み、フィルム（４）をストーマ袋接続リング（５）に咬ませ、おなら軽減棒をストーマから抜けなくする。  本発明は、以上のような構造である。
これを使用するときは、おならが軽減出来る。
【符号の説明】
【０００９】
１    おなら軽減棒
２    ストーマ
３    ストーマ口
４    フィルム
５    ストーマ袋接続リング
【図１】
2017000255.tif 000003
【図２】
2017000255.tif 000004
(57)【要約】      （修正有）【課題】鍋や釜の底の高熱効率を高める為の形状した鍋や釜を提供する。【解決手段】鍋や釜の底に突起物形状４、５を作り伝熱面積を広くして熱伝導効率を上げる事と共に熱エネルギーの省エネ対策を行う。【選択図】図２
2017000680.tif 000002
【特許請求の範囲】
【請求項１】
鍋や釜の底に突起物を付け伝熱面積を広くして熱伝導効率を上げる事と共に熱エネルギーの省エネ対策をすること。
【発明の詳細な説明】
【技術分野】
【０００１】本発明は鍋や釜の底は高熱効率を高める為の形状である。
【技術背景】
【０００２】従来の鍋や釜の底は平面で熱伝導効率が悪かった、本発明は底に突起物形状を作り伝熱面積を広くして熱伝導効率を上げる事と共に熱エネルギーの省エネ対策をするものである。
【先行技術文献】
【０００３】
【特許文献】
【特許文献】  特許出願公開番号  特表２００６−３４５０２７（Ｐ２００６−３４５０２７）
【発明の概要】
【発明が解決しようとする課題】
【０００４】従来の鍋や釜の底は平面で熱伝導効率が悪かった、本発明は底に突起物形状を作り伝熱面積を広くして熱伝導効率を上げる事と共に熱エネルギーの省エネ対策をするものである。
【課題を解決するための手段】
【０００５】本発明が解決するための手段として鍋や釜の底に突起物形状を作り伝熱面積を広くして熱伝導効率を上げる事と共に熱エネルギーの省エネ対策をするものである。
【発明の効果】
【０００６】従来の鍋や釜の底は平面で熱伝導効率が悪かった、本発明は底に突起物形状を作り伝熱面積を広くして熱伝導効率を上げる事と共に熱エネルギーの省エネ対策が可能となる発明の効果がある。
【図面の簡単な説明】
【０００７】
【図１】従来の鍋や釜の底
【図２】本発明の鍋や釜の底
【図３】本発明の鍋や釜の底正面
【図４】本発明の鍋や釜の底正面
【図５】本発明の鍋や釜の底正面
【発明を実施するための最良の形態】
【０００８】本発明を実施するための最良の形態として鍋や釜を製造しているメーカーが積極的に製造する事により熱伝導効率を上げる事と共に熱エネルギーの省エネ対策が可能となる事が出来る。
【実施例】
【０００９】以下、添付図面で実施例を説明する。
図１は従来の鍋や釜の底で平面で熱伝導効率が悪い底側面図
図２は本発明の鍋や釜の底側面図で突起物形状を示す
図３は本発明の鍋や釜の底正面図で突起物形状の配列を示す
図４は本発明の鍋や釜の底正面図で突起物形状の配列を示す
図５は本発明の鍋や釜の底正面図で突起物形状の配列を示す
図２〜図５の鍋や釜の底正面図の様に突起形状物を作る事に依り熱伝導効率を上げる事と共に熱エネルギーの省エネ対策を可能にする事が出来る。
【産業上の利用可能性】
【０００１０】従来の鍋や釜の底は平面で熱伝導効率が悪かった、本発明は底に突起物形状を作り伝熱面積を広くして熱伝導効率を上げる事と共に熱エネルギーの省エネ対策をするもので産業上の利用可能性が大ある。
【符号の説明】
【０００１１】１    従来の鍋や釜の側面図
２    従来の鍋や釜の平らな面の側面図
３    本発明の底に突起物形状を作った側面図
４    表面積を大きくする為の突起物形状の図
５    表面積を大きくする為の突起物形状の図
【図１】
2017000680.tif 000003
【図２】
2017000680.tif 000004
【図３】
2017000680.tif 000005
【図４】
2017000680.tif 000006
【図５】
2017000680.tif 000007
(57)【要約】      （修正有）【課題】Ｏ脚、ガニ股を矯正するスラックスとインナー類あるいは座椅子矯正法とその器具を提供する。【解決手段】股間部周辺を２本指で押しあげて、まっすぐになった脚の内側を、相対する部分のインナー類２，３で受け、それぞれに接合機能をもたせ、接合させスラックス１本体より、その部分を少し吊り浮かした状態にしながら、内股に密着固定させる。また、座椅矯正法は、着座し両足首は外側に向け、両くるぶしの内側、両足親指付け根部、と両膝で着床し、それぞれの部分をクッションで補い、両内股に力を入れて、強くピタリと密着させながら座る。【選択図】図１
2017000691.tif 000002
【特許請求の範囲】
【請求項１】
スラックスの股間部周辺を２本指で押しあげて、まっすぐ美脚になった部分の内側を、その相対する部分のインナー類で受け、それぞれに接合機能をもたせ、接合させスラックス本体より、その部分を少し吊り浮かした状態にしながら、内股に密着固定させる特徴をもった、スラックスとインナー類。
【請求項２】
座椅子に、着座し両足両足首は外側に向け、両くるぶしの内側と両足親指付け根部、そして、両膝で着床し、それぞれの部分をクッションで補い、そして両内股に力を入れて、強くピタリと密着させながら座ることを特徴とする、座椅子矯正法
【請求項３】
快適な座部、一本柱とベース板で本体、そして足部クッション２個、膝クッション１個で上記の座椅子矯正法用の器具一式。
【発明の詳細な説明】
【技術分野】
【０００１】  本発明は、スラックス着用時に両足をそろえて、まっすぐな美脚になる、スラックスとインナー類に於ける方法と、膝がピタリと着く座椅子矯正法とその器具一式に関するものである。
【背景技術】
【０００２】  従来、美脚スラックスなるものは、多く存在し出回っているが、デザイン、素材、色彩、履物等の組み合わせで美脚効果を演出しているが、個人の資質を除いて、両足そろえてのまっすぐになる美脚ではない。当然、Ｏ脚、ガニ股の人のまっすぐ美脚もない。
そして、日本人の９割がアーチヒッター（Ｏ脚、ガニ股）といわれ、世界でも６割の人がアーチヒッターといわれている現状で、せめてスラックス着用時にはすべての人をまっすぐ美脚できる技術が待たれるところである。
又、現状では、スラックスとインナー類を単体で合体してのまっすぐな美脚スラックスもない。
尚、スラックスにインナー特性をもたせた、紳士用スラックスが知られている。
（特許文献１参照）
【先行技術文献】
【０００３】
【特許文献１】特開２００７−２３４５号公報
【発明の概要】
【発明が解決しようとする課題】
【０００４】  スラックス着用時に、股間部を外側から２本指で押し上げると、両足そろえてのまっすぐな美脚になる事は知られているが、その状態をどう維持するかという事と、そして、それだけではＯ脚、ガニ股の人には不十分であり、美脚に発展さすには、立ったままで膝がピタリとつき、Ｏ脚、ガニ股が改善される方法と器具が課題。
結論として、押し上げた状態の維持と、矯正器具の開発が課題であった。
これらの発明は、以上の諸課題を解決する為になされたものである。
【課題を解決するための手段】
【０００５】  スラックスの股間部周辺を２本指で押しあげて、まっすぐ美脚になった部分の内側を、その相対する部分のインナー類で受け、それぞれに接合機能をもたせ、接合させスラックス本体より、その部分を少し吊り浮かした状態にしながら、内股に密着固定させる特徴をもった、スラックスとインナー類。【０００６】  次に、膝と膝との密着であるが、まず、座椅子に、着座し両足の両足首は外側に向け、両くるぶしの内側と両足親指付け根部、そして、両膝で着床し、それぞれの部分をクッションで補い、そして両内股に力を入れて、強くピタリと密着させながら座ることを特徴とする、座椅子矯正法【０００７】  又、その器具の形態は、快適な座部、一本柱とベース板で本体、そして足部クッション２個、膝クッション１個で上記の座椅子矯正法用の器具一式。
【発明の効果】
【０００８】  この三つの発明により、関係部位に疾患がない限り、誰でも、美しい立ち姿と歩く姿でのまっすぐ美脚スラックスが可能になった。
未だ、この問題を解決した個人も企業もなく、『メイドインジャパン』の御旗のもと世界に打って出られる発明であり、下半身よりのストレスから解放さた美脚世界の始まりであり、ファション、芸能界、アパレル、マスコミ等、ビジュアルな世界に美の追求がある限り、大歓迎される発明である。
【図面の簡単な説明】
【０００９】
【図１】  （イ）スラックスとインナーの正面斜視図  （ロ）スラックスとインナーが合体した正面斜視図  （ハ）本発明のスラックスの正面斜視図
【図２】  本発明の使用状態を示す背後図
【図３】  （二）器具一式の図
【発明を実施するための形態】
【００１０】  以下、本発明［図１］スラックスとインナーの実施の形態を説明する
（イ）インナーの（３）の部分に両面テープかボタン等で接着部分を設ける。
（ロ）スラックスの（４）部分にも同様に接着部分を設ける。
本発明は以上のような構造である。
本発明を使用する時は、まず、インナーを着用し、然る後にスラックスを着用し、（３）と（４）を接合し、スラックスは少し吊られて浮いた状態で、内股に密着する状態にする。
【００１１】  以下、次に［図２］の座椅子による矯正座法について実施の形態を説明する。
まず、座椅子に、着座し両足両足首は外側に向け、両くるぶしの内側、両足親指付け根部と両膝で着床し、それぞれの部分をクッションで補い、そして両内股に力を入れて、強くピタリと密着させながら座る。
【符号の説明】
【００１１】  １、インナー、２、インナーの受け部分、３、スラックス、４、スラックスの支え部分、５、座椅子本体６、膝クッション７、脚部クッション。
【図１】
2017000691.tif 000003
【図２】
2017000691.tif 000004
【図３】
2017000691.tif 000005
(57)【要約】【課題】雑巾がけは従来、身体を屈め、手足を使って行う為、身体に大きな負担が掛かる面倒な作業である。  本発明は、雑巾がけを楽にする掃除具を提供する。【解決手段】ヘッド部の形状は逆三角形とし、ヘッド部三辺の各辺は、底面部三辺の各辺より、天面部方向に斜面状部を有し、天面部中央には柄を結合するリブを設ける、柄は連結部を起点に手元が上下に可動するように取り付け、ヘッド部の角部は三面錐を有し、ヘッド部底面部には凹状部を複数設けることを特徴とする掃除具である。【選択図】図１
2017000689.tif 000002
【特許請求の範囲】
【請求項１】
（イ）ヘッド部の形状は逆三角形とし、
（ロ）ヘッド部三辺の各辺は、底面部三辺の各辺より、天面部方向に斜面状部を有し、
（ハ）天面部中央には柄を結合するリブを設ける、
（ニ）柄は連結部を起点に手元が上下に可動するように取り付ける、
（ホ）ヘッド部の各角部は三面錐を有し、
（ヘ）ヘッド底面部には凹状部を複数設ける、
以上の構成よりなる掃除具。
【発明の詳細な説明】
【技術分野】
【０００１】  本発明は、立作業で雑巾がけを行う掃除具に関するものである。
【背景技術】
【０００２】  従来、雑巾がけは、屈んでの作業が多かった。立作業としては、柄付布モップや柄付紙モップが有る。特許文献１、特許文献２に記載されているように、清掃面に清掃シートや布カバーを取り付けた掃除具が知られている。
【先行技術文献】
【特許文献】
【０００３】
【特許文献１】特開２０１４−０３３８９６号公報
【特許文献２】特開２０１４−００８２１６号公報
【発明の概要】
【発明が解決しようとする課題】
【０００４】  雑巾がけは従来、身体を屈め、手足を使って行う為、身体に大きな負担が掛かる面倒な作業である。特許文献１では布カバー、特許文献２では清掃シートや布など脱着作業が必要になる。
本発明は、以上の問題点を解決するためになされたものである。
【問題を解決するための手段】
【０００５】（イ）  ヘッド部の形状は逆三角形とし、
（ロ）  ヘッド部三辺の各辺は、底面部三辺の各辺より、天面部方向に斜面状部を有し、
（ハ）  天面部中央には柄を結合するリブを設ける、
（ニ）  柄は連結部を起点に手元が上下に可動するように取り付ける、
（ホ）  ヘッド部の各角部は三面錐を有し、
（ヘ）  ヘッド底面部には凹状部を複数設ける。
以上の構成よりなる掃除具である。
【発明の効果】
【０００６】  本発明により、従来行われていた雑巾がけが、屈んでの作業から立作業に代わり、面倒さが減少し、雑巾がけ、乾拭き、ワックス掛けが、誰でも簡単かつ、楽に行うことが出来るようになった。
【図面の簡単な説明】
【０００７】
【図１】本発明の斜視図
【図２】天面部平面図
【図３】図２のＡ−Ａ断面図
【図４】底面部平面図
【図５】本発明の使用状態を示す斜視図
【図６】掃除具を前方に動かしたときの雑巾と掃除具の関係図
【図７】掃除具を右に動かしたときの雑巾と掃除具の関係図
【図８】掃除具を手前へ引いた時の雑巾と掃除具の関係図
【図９】掃除具を右回転させた時の雑巾と掃除具の関係図
【発明を実施するための形態】
【０００８】    以下、本発明の実施形態を説明する。
（イ）ヘッド部（２）の形状は逆三角形とし、天面部（１０）三辺には、斜面状部（４ａ）、（４ｂ）、（４ｃ）と柄を取り付けるリブ（３）を設ける。
（ロ）底面部（１１）には、角部（５ａ）、（５ｂ）、（５ｃ）と雑巾（１２）を押えた時に底面部（１１）と雑巾（１２）の密着を増すために、凹状部（９）を複数設ける。
（ハ）リブ（３）にはピン（７）を通す穴（８）を設ける。
（ニ）リブ（３）と柄（６）をピン（７）で結合させる。
本発明は以上のような構造である。
【０００９】  本発明を使用するときは、図５に示すように雑巾（１２）の中央にヘッド部（２）をセットし、ヘッド部（２）を前後左右に動かし雑巾がけをする。
【００１０】  図６に示すように、ヘッド部（２）を前へ押すと、角部（５ａ）、（５ｂ）斜面状部（４ａ）が、ヘッド部（２）前面に、雑巾（１２）のたるみを発生させ、発生したたるみに角部（５ａ）、（５ｂ）、斜面状部（４ａ）がもぐりこみ、凹状部（９）も雑巾（１２）と密着して、ヘッド部（２）と雑巾（１２）が一体化し、雑巾（１２）を前方に動かし清掃する。
【００１１】  図７に示すように、ヘッド部（２）を右方向に動かすと、角部（５ｂ）、（５ｃ）斜面状部（４ｂ）が、ヘッド部（２）右側に、雑巾（１２）のたるみを発生させ、発生したたるみに角部（５ｂ）、（５ｃ）斜面状部（４ｂ）がもぐりこみ、凹状部（９）も雑巾（１２）と密着し、ヘッド部（２）と雑巾（１２）が一体化し、雑巾（１２）を右方向に動かし清掃する。
【００１２】  図８に示すように、ヘッド部（２）を手前へ引くと、角部（５ｃ）斜面状部（４ｂ）、（４ｃ）が、ヘッド部（２）手前に雑巾（１２）のたるみを発生させ、発生したたるみに角部（５ｃ）斜面状部（４ｂ）、（４ｃ）がもぐりこみ、凹状部（９）も雑巾（１２）と密着し、ヘッド部（２）と雑巾（１２）が一体化し、雑巾（１２）を手前方向に動かし清掃する。
【００１３】  図９に示すようにヘッド部（２）を右回転させると、角部（５ｂ）斜面状部（４ｂ）が、ヘッド部（２）右下寄りにたるみを発生させ、発生したたるみに角部（５ｂ）斜面状部（４ｂ）がもぐりこみ、凹状部（９）も雑巾（１２）と密着し、ヘッド部（２）と雑巾（１２）が一体化し、雑巾（１２）を右下へ動かす。以下、ヘッド部（２）の連続した進行方向に、斜面状部（４ｂ）角部（５ｃ）斜面状部（４ｃ）角部（５ａ）斜面状（４ａ）角部（５ｂ）の順に、ヘッド部（２）の進行方向に雑巾（１２）のたるみを発生させ、発生したたるみに斜面状部（４ｂ）角部５ｃ）斜面状部（４ｃ）角部（５ａ）斜面状部（４ａ）角部（５ｂ）の順にもぐりこみ、凹状部（９）も雑巾（１２）と密着し、ヘッド部（２）と雑巾（１２）の一体化が継続し、円く掃除することが出来る。
【符号の説明】
【００１４】１、掃除具、２ヘッド部、３柄を取り付ける為のリブ、４ａ斜面状部、４ｂ斜面状部、４ｃ斜面状部、５ａ角部、５ｂ角部、５ｃ角部、６柄、７ピン、８穴、９凹状部、１０天面部、１１底面部、１２雑巾
【図１】
2017000689.tif 000003
【図２】
2017000689.tif 000004
【図３】
2017000689.tif 000005
【図４】
2017000689.tif 000006
【図５】
2017000689.tif 000007
【図６】
2017000689.tif 000008
【図７】
2017000689.tif 000009
【図８】
2017000689.tif 000010
【図９】
2017000689.tif 000011
(57)【要約】【課題】いびきは舌が気道を塞ぐのが原因の一つと言われ、下顎を前面に出したり、舌を断続的に動かすことを目的に多くの対処法が考えられているが、身体的に負担を強いたり、安眠を犠牲にしては意味がなく、できるだけ簡単なものが望ましい。【解決手段】前歯の口腔内側のシリコーンゴム製の小さなリングに舌が無理なく絡み、下唇側のホルダーがつながって出来たリング側との軸の突起に舌が誘われ、断続的に動くことで、気道を塞ぐのを防いでいる。またリングとホルダーをつなぐ溝の軸に傾斜をもたせ、前歯の噛み合わせで下歯がやや前面にせり出る形になり、いびき防止の相乗効果が期待できる。【選択図】図１
2017000681.tif 000002
【特許請求の範囲】
【請求項１】
太さ２ｍｍの丸棒状で、内径１２ｍｍほどのシリコーンゴムのリングが前歯の口腔内側に位置し、ほぼ同じ大きさの円盤形の下唇側ホルダーと上部でくの字型の軸でつながって下歯を挟んだいびき防止器具。
【請求項２】
リングとホルダーをつなぐ軸を円盤の縁からやや内側で接続させることで前歯の噛み合わせが出来、また軸に傾斜を設けたことで下歯がやや前面に出るようにしたいびき防止器具。
【発明の詳細な説明】
【技術分野】
【０００１】  本発明は、就寝中のいびきに悩む人のためのいびき防止器具に関するものである。
【背景技術】
【０００２】  いびきに悩む人は多く、その原因の一つとして、就寝中に舌の動きが休止して気道を塞ぐために発生するという説がある。周りの人々を巻き込んで、その防止に関する装置や器具には、根本的な治療法もあれば、対処療法的なものなど多種多様である。
【先行技術文献】
【特許文献】
【０００３】
【特許文献１】特開２００１−１９０６７６
【特許文献２】特開２００５−９５２１８
【特許文献３】特表２００５−５０１６５７
【特許文献４】特表２０１１−５１９５９８
【発明の概要】
【発明が解決しようとする課題】
【０００４】  就寝中に舌の動きが休止して気道を塞ぐためにいびきが発生するという原因説に対して、下顎を前面に出すとか、舌を断続的に動かすことが有効とされているが、その装置や器具の多くは複雑で身体的にも負担が大きく、利用法は必ずしも簡単ではない。
本発明は、以上の問題点を解決するために考えたものである。
【課題を解決するための手段】
【０００５】  シリコーンゴムで太さ２ｍｍの丸棒状で、内径１２ｍｍほどの小さなリングが、前歯の内側に垂直に張り付くように、下唇側の円盤形のホルダーとともに板状の軸で下歯を挟んで固定するいびき防止器具。口腔内側の小さなリングに無理なく舌が引き寄せられて絡み、また板状の軸に傾斜を設け前歯の噛み合わせをずらすことで、就寝中でも舌が気道を塞ぐのを防止するのが狙い。
以上の構成よりなるいびき防止器具。
【発明の効果】
【０００６】  シリコーンゴムの小さなリングに舌が絡んで、就寝中でも違和感が少なく、やさしく邪魔にならず、安眠を妨げかねない従来の器具の課題にも応えられる。
【図面の簡単な説明】
【０００７】
【図１】本発明の斜視図
【図２】本発明の断面図
【図３】使用状態のイメージ側面図
【発明を実施するための形態】
【０００８】  以下、本発明の実施の形態を説明する。
（イ）太さ２ｍｍの丸棒状で、円の内径１２ｍｍほどのシリコーンゴムのリング（１）を前歯の内側に垂直に張り付くように、下唇（７）側のホルダー（２）と下歯（５）を挟む軸（３）で固定する。
（ロ）下唇側のホルダーは厚さ２ｍｍ、直径１６ｍｍほどの円盤形である。
（ハ）リングとホルダーとをつなぐ軸の間隔は約３ｍｍで、縦２ｍｍ、横４ｍｍの板状で、円盤の縁から約４ｍｍ内側で、リングの上部とホルダーをくの字型で接続する。また、この軸で噛みあう前歯が上歯（６）より下歯が少し前にせり出るように軸に傾斜（４）を設けているのが特徴。
本発明は以上のような構造である。
本発明を使用するときは、リングが前歯の口腔内側に来るように、リングとホルダーで下歯を被せるように装着するだけで良い。リングとホルダーをつなぐ軸が両方の縁ではなく、やや内側に位置することで前歯が軸を噛みやすくなり、さらに軸に傾斜を設けたことで下歯が前面にややせり出るようになっている。また、リングに接続するくの字型の軸によって内側に突起ができる形になり、リングと突起が無理なく舌（８）を誘い、歯の噛み合わせのずれとの相乗効果で気道（９）を塞ぐのを防いでくれる。
【符号の説明】
【０００９】  １リング、２ホルダー、３軸、４傾斜、５下歯、６上歯、７下唇、８舌、９気道
【図１】
2017000681.tif 000003
【図２】
2017000681.tif 000004
【図３】
2017000681.tif 000005
(57)【要約】【課題】  右利きの人と左利きの人にも利用できる鎌であって、複雑な操作をなくし、簡単、安全に使用出来る鎌。【解決手段】  これまでの鎌は、左利きの鎌が少なく、不便を感じた人もあると思います、又、右利きの人の場合でも状況に依り、右手では作業し難い場合も有りますこの鎌は、ワンタッチで、簡単に左右が切り替えて、簡単、安全に使用する事が出来る鎌です。【選択図】図１
2017000129.tif 000002
【特許請求の範囲】
【請求項１】
直角の内側双方に刃をつけた鎌。
【請求項２】
柄の頭部を円形にして、回転軸を付けた鎌。
【請求項３】
刃の外側、峰の部分にストッパーを付けた鎌。
【請求項４】
柄の部分に刃を収納する構造を施した鎌。
【発明の詳細な説明】
【技術分野】
【０００１】  鎌の直角の内側双方に刃をつけ、角に回転軸を施し、手の平で押すだけの簡単操作で、左右を切り替えて使用できる鎌。【０００２】  鎌の柄の頭部を円形にして、回転軸をつけ、刃の峰を押すだけの、簡単操作で左右を切り替えて使用できる鎌。【０００３】  刃の峰、円周部分にストッパーを付け、使用時に刃を固定させる鎌。【０００４】  柄の部分に刃の収納部分を施し、一方の使用時、一方が柄の中に完全に収納される安全構造の鎌。
【背景技術】
【０００５】  先行技術では，構造が複雑で実用には問題がある。
【先行技術文献】
【特許文献】
【０００６】
【特許文献１】  実用新案広報３１５５３４５号
【特許文献２】  実用新案広報３１３６６８６号
【発明の概要】
【発明が解決しようとする課題】
【０００７】  複雑な操作をなくし、簡単、安全に使用出来る鎌。
【課題を解決するための手段】
【０００８】  本考案は、使用時にワンタッチで刃の左右の簡単切り替え操作と、一方の刃を柄の中に収納して安全使用を目的とする鎌。
【発明の効果】
【０００９】  本考案は、ワンタッチで刃の峰を押すだけで、刃の左右の切り替えができ、又、一方の刃を使用時には、他の一方の刃は柄の中に収納されて、簡単で安全に使用出来る鎌。
【図面の簡単な説明】
【００１０】
【図１】右手使用時、一方の刃が、柄の中に収納された状態の平面図
【図２】刃先から見た側面図
【図３】ストッパー側から見た側面図
【図４】左手使用時、一方の刃が、柄の中に収納された状態の平面図
【発明を実施するための形態】
【００１１】  鎌の直角の内側双方に刃をつけ、角の部位に回転軸を施し、柄の頭部を円形にして、刃の峰、円周部位に、ストッパーを付ける事に依り、刃の峰を押すだけのワンタッチ操作で、一方の刃の使用時は、一方の刃が柄の中に収納でき、左手右手のどちらでも簡単、安全に枝きり、草取り等の使用を目的とした鎌。
この鎌は、一方の刃を使用時には、安全の為、必ず他の一方の刃を完全に柄の中に収納して使用する事。
【符号の説明】
【００１２】１  鎌の刃
２  刃の部位
３  刃の峰の部位
４  刃を固定させるストッパー部位
６  柄の刃の収納部位
７  柄の握り部位
【図１】
2017000129.tif 000003
【図２】
2017000129.tif 000004
【図３】
2017000129.tif 000005
【図４】
2017000129.tif 000006
(57)【要約】      （修正有）【課題】動力体の部分と浮子になる部分とを分離させてさまざまな釣行を可能にする釣り仕掛け電動浮子の提供。【解決手段】前側にスクリュー６を持つ水中モーター２からなる動力体と発泡体１等の軽い素材で構成された専用浮子からなる電動浮子は、前進・後進させることができ、釣り仕掛けにかかる重力に応じて専用浮子を差し込むことができる専用浮子差し込み穴５を設けている。【選択図】図１
2017000132.tif 000002
【特許請求の範囲】
【請求項１】
電動体と浮子を分離し電動体の浮力を０となし、釣仕掛けにかかる重量に応じて浮子を交換することができる釣仕掛け電動浮子
【請求項２】
電動体前部先端に逆回転スクリューを装置した、前駆動による釣仕掛け電動浮子
【請求項３】
電動体の中心に軸を設け、後部道糸通し穴から道糸を通し、中心軸に取付けたシモリを介して使用する釣仕掛け電動浮子
【発明の詳細な説明】
【技術分野】
【０００１】本発明は、様々な釣行ができる釣仕掛け電動浮子に関するものである。
【背景技術】
【０００２】従来のものは釣仕掛けを誘導する本体そのものが浮子になっているため、魚がかかっても魚信がとれない。また釣竿から仕掛けに至る道糸の手順が大変複雑である。
【発明の概要】
【発明が解決しようとする課題】
【０００３】従来品の問題点を解決するために、動力体の部分と浮子になる部分とを分離させる。簡単な手順で使用できるようにする。
【課題を解決するための手段】
【０００４】本発明は、動力体にかかる浮力を０となし様々な釣仕掛けにかかる重力に応じて専用浮子を交換することにより、旧来の静止させて行う浮子釣り同様の簡単な使用手順で様々な釣行を可能にした釣仕掛け電動浮子である。
【発明の効果】
【０００５】本発明の釣仕掛け電動浮子は、動力部先端の逆回転スクリューにより前駆動となり、竿からつながる道糸は動体後部の通し穴を介して中央重心軸へと導き釣仕掛けに至る。それにより直進がなお可能となった。従来「浮子釣り」は浮子を静止させて行うのが常識であったが、この発明により電動浮子は前進・後退させながら岸から沖へ、海底から海上へとたえず動き、仕掛けた餌が生きているかのように見えるため釣果を上げる効果がある。また生きた小魚を使って沖の大物を狙う「泳がせ釣り」の場合は、思うように餌が沖へ行ってくれないのが難点であったが、この電動浮子により容易に沖まで餌を運ぶことができる。
【図面の簡単な説明】
【０００６】
【図１】電動浮子動力体の側面図である。１は発泡体、２は水中モーター、３は道糸通し穴、４はシモリ  ５は専用浮子差し込み穴、６はスクリュー、７はスクリューカバー
【図２】専用浮子の全体図である。１は浮子、２は差込棒
【図３】電動浮子の基本的な使用手順である。１は道糸、２は浮子止め３は道糸通し穴、４はシモリ、５は仕掛け止め、６は竿、７はリール
【図４】回遊魚等大物を狙う泳がせ釣りの基本的な手順である。１は道糸、２は浮子止め、３は道糸通し穴、４はシモリ、５は仕掛け止めである。
【実施例】
【０００７】図３により説明する。
図３−７リール及び図３−６竿からつながる図３−１道糸を、図３−３道糸通し穴から図３−４シモリの通し穴へとみちびき、図３−２浮子止めを結び糸で設け、図３−５仕掛け止めを結び糸で設け、その以下は様々な釣仕掛けをして実施するものであり釣り人の知識と経験によってこの発明の特長を活かし様々な釣を楽しむことができる釣仕掛け電動浮子
図４は泳がせ釣りの実施例の全体図である。
【図１】
2017000132.tif 000003
【図２】
2017000132.tif 000004
【図３】
2017000132.tif 000005
【図４】
2017000132.tif 000006
(57)【要約】      （修正有）【課題】マンゴーの実の茎の吊り上げ作業において、マンゴーの茎を紐で結ぶ必要がなく、マンゴーを吊す手間が省け、作業を簡便かつ短時間で可能にするマンゴー吊り紐を提供する。【解決手段】フック１の内側にスポンジ２を設け、フックでマンゴーの実の茎を掛けて吊り上げ、上にあるパイプにフックで掛けてある板の切込みの２か所に紐４を差し込み固定する。あるいは、フック１にマンゴーの茎を掛けて、上にあるパイプに紐を掛けて、フック１の紐４を切り込みの入ったチップに差し込んで固定する。また高い所にあるマンゴーの実を掛けるときは、フック１で掛けて、上にあるパイプに紐をかわしてフック１の切り込み３に差し込んで固定する。【選択図】図２−１
2017000133.tif 000002
【特許請求の範囲】
【請求項１】
フック（１）の内側にスポンジ（２）を設け、フック（１）の上に紐（３）を設ける、紐（３）を掛けるための板（４）に切り込み（５）を設ける、板（４）の上にフック（６）を設ける。
【請求項２】
フック（１）の内側にスポンジ（２）を設け、フック（１）の横に切り込み（３）を設ける、フック（１）の上に紐（４）を設ける、その紐（４）の先端に切り込み（３）の入ったチップ（５）を設ける。
【発明の詳細な説明】
【技術分野】
【０００１】この発明は、マンゴーの実の茎を紐で結んで吊り上げ、上にあるパイプにも結んでいたのをフックの内側にスポンジを設け、フックでマンゴーの実の茎を掛けて吊り上げ、上に掛けてある、切り込みの入った板にフックの紐を差し込んで固定する、マンゴー吊り紐に関するものである。
【背景技術】
【０００２】従来、マンゴーの実の茎を紐で結んで、上に吊り上げ、パイプにも結んでいた。
【先行技術文献】
【０００３】
【特許文献】
【発明が解決しようとする課題】
【０００４】これは、次のような欠点があった
（イ）マンゴーの実の茎を１個づつ紐で結んでいたので、大変な作業であった。
（ロ）マンゴーの実の茎を何百個も紐で結でいたので大変時間がかかっていた。
本発明は、以上のような欠点をなくすためになされたものである
【課題を解決するための手段】
【０００５】フック（１）の内側にスポンジ（２）を設けフック（１）の上に紐（３）を設ける、紐（３）を掛けるための板（４）に切り込み（５）を設ける、板（４）の上にフック（６）を設ける。
本発明は、以上の構成による、マンゴー吊り紐である。
【発明の効果】
【０００６】（イ）マンゴーの実の茎を紐で結んでいた、手間が省ける
（ロ）１個づつ結ぶ必要が無くなった。
（ニ）作業時間が短くなった。
【図面の簡単な説明】
【０００７】
【図１】本発明の斜視図である。
【図２】本発明の斜視図である。
【発明を実施するための形態】
【実施例１】
【０００８】フック（１）の内側にスポンジ（２）を設け、フック（１）の上に紐（３）を設ける、紐（３）を掛けるための板（４）に切込み（５）を設ける、板（４）の上にフック（６）を設ける本発明は、以上のような構成である
本発明を使用するときは、フック（１）にマンゴーの茎を掛けて、上にあるパイプに掛けてある板（４）の切込み（５）の２か所に差し込み固定する。
マンゴーの茎を紐（３）で結ぶ必要がない
マンゴーの茎にフック（１）で掛けて上の板（４）の切込み（５）に差し込んで固定するので作業時間が短くてすむ
【実施側２】
フック（１）の内側にスポンジ（２）を設け、フック（１）の横に切り込み（３）を設ける、フック（１）の上に紐（４）を設ける
その紐（４）の先端に切り込み（３）の入ったチップ（５）を設ける。
本発明は、以上のような構成である
本発明を使用するときは、
フック（１）にマンゴーの茎を掛けて、上にあるパイプに紐（４）を掛けて、フック（１）の紐（４）を切り込み（３）の入ったチップ（５）に差し込んで固定する。また高い所にあるマンゴーの実を掛けるときは、フック（１）で掛けて、上にあるパイプに紐（４）かわしてフック（１）の切り込み（３）に差し込んで固定する。
マンゴーの茎を紐（３）で結ぶ必要がない。
マンゴーを吊す手間が省ける
【符号の説明】［実施例１］
フック  （１）
スポンジ（２）
紐      （３）
板      （４）
切り込み（５）
フック  （６）
［実施例２］
フック  （１）
スポンジ（２）
切り込み（３）
紐      （４）
チップ  （５）
【図１】
2017000133.tif 000003
【図１−１】
2017000133.tif 000004
【図２】
2017000133.tif 000005
【図２−１】
2017000133.tif 000006
(57)【要約】【課題】手作業をし易い手指保護具を提供する。【解決手段】保持リング部１と、先端２が閉鎖状の１本の指挿入筒部３とを、一体として、弾性編みにて構成する。保持リング部１によって、指挿入筒部３を手首方向へ向かって弾発的に引き寄せるように構成する。【選択図】図１
2017000532.tif 000002
【特許請求の範囲】
【請求項１】
保持リング部（１）と、先端（２）が閉鎖状の１本の指挿入筒部（３）とを、一体として、弾性編みにて構成したことを特徴とする手指保護具。
【請求項２】
上記保持リング部（１）によって、上記指挿入筒部（３）を手首方向へ向かって弾発的に引き寄せるように構成した請求項１記載の手指保護具。
【発明の詳細な説明】
【技術分野】
【０００１】
本発明は、手指保護具に係り、特に包帯の機能を発揮するものに関する。
【背景技術】
【０００２】
一般に、手指を怪我した場合、患部を保護するために、患部及びその近傍に包帯を巻く（例えば、特許文献１参照）。
【０００３】
しかし、手の平にも包帯が巻かれているので、包帯がゴルフのプレイや手作業の邪魔になるという問題があった。さらに、プレイ中や手を使う作業中に、包帯がほどける虞れがあった。
【先行技術文献】
【特許文献】
【０００４】
【特許文献１】特開２０１４−２１７５８６号公報
【発明の概要】
【発明が解決しようとする課題】
【０００５】
解決しようとする課題は、包帯が手作業やゴルフ等のプレイの邪魔になる点である。さらに、包帯がほどけ易い点である。
【課題を解決するための手段】
【０００６】
そこで、本発明に係る手指保護具は、保持リング部と、先端が閉鎖状の１本の指挿入筒部とを、一体として、弾性編みにて構成したものである。
また、上記保持リング部によって、上記指挿入筒部を手首方向へ向かって弾発的に引き寄せるように構成したものである。
【発明の効果】
【０００７】
本発明の手指保護具によれば、指１本のみを包囲可能であって、手の平に被覆しないように装着できて、ゴルフや野球等のスポーツも手の平の違和感なく楽しむことができる。さらに、どの指にも用いることができる。また、包帯のように指に巻き付ける手間がなく、容易に装着することができる。また、指から抜けたり外れたりすることもない。
【図面の簡単な説明】
【０００８】
【図１】本発明の実施の一形態の使用状態を示す図である。
【図２】斜視図である。
【図３】断面図である。
【図４】製法を示す説明図である。
【発明を実施するための形態】
【０００９】
以下、図示の実施の形態に基づいて本発明を詳説する。
図１は、本発明の実施の一形態の使用状態を示す。この手指保護具は、指に怪我をした場合に、（従来の包帯に代えて）患部を保護するために用いられる。図１では、中指Ｆを怪我した場合に中指Ｆを保護している状態を示す。手の平Ｐが露出状となっている。
【００１０】
図２及び図３に示すように、保持リング部１と、先端２が閉鎖状の１本の指挿入筒部３とが、一体として、弾性編みにて構成される。「弾性編み」とは、編み地が弾性を有する編み方を言い、例えば、ゴム編みが挙げられる。編み糸が綿から成る。保持リング部１によって、指挿入筒部３を手首方向へ向かって弾発的に引き寄せるように構成する。つまり、「手首方向引き寄せ機能」を備える。図１の装着状態に於て、保持リング部１に中指Ｆが挿入され、かつ、保持リング部１の手首部分４以外が、手の甲側に配設される。
【００１１】
次に、本発明の手指保護具の製法について説明する。まず、図４に示すように、足袋のつま先に相当する部分を、図４の中断線Ａまで弾性編みする（中断線Ａにて編む作業を中止する）。その後、図４の切断線Ｂにてカット（切断）する。中断線Ａ及び切断線Ｂの部分を、縁編み等にてほつれないように処理するのが好ましい。なお、中断線Ａ及び切断線Ｂ近傍は、自然と外側へ丸まる（図２・図３参照）。
【００１２】
本発明は、設計変更可能であって、例えば、編み糸が麻、絹、合成樹脂等から成るも良い。（なお、全体をゴム膜をもって形成して、炊事等の水仕事にも使うことができる。）
【００１３】
以上のように、本発明は、保持リング部１と、先端２が閉鎖状の１本の指挿入筒部３とを、一体として、弾性編みにて構成したので、手作業をし易い。例えば、ゴルフ等のスポーツも手の平Ｐの違和感なく楽しむことができる。さらに、どの指にも１本のみに指挿入筒部３をかぶせて使うことができ、プレイ中や作業中に不意に離脱することがない。また、手の平Ｐ等を締付ける必要がなく、容易に装着することができる。
また、上記保持リング部１によって、上記指挿入筒部３を手首方向へ向かって弾発的に引き寄せるように構成したので、指挿入筒部３が指から離脱することを一層確実に防止することができる。
【符号の説明】
【００１４】
１  保持リング部
２  先端
３  指挿入筒部
【図１】
2017000532.tif 000003
【図２】
2017000532.tif 000004
【図３】
2017000532.tif 000005
【図４】
2017000532.tif 000006